(57)【要約】【課題】過失あるいは故意でハンドルをオフ操作されにくくした配線ダクト接続装置を提供する。【解決手段】配線ダクト接続装置１は、１次側の接触子と、遮断器５，６と、カバー７とを備える。１次側の接触子は、配電用の導電部材を収納した配線ダクト１７の導体１８ａ〜１８ｃに接続する。遮断器５，６は、接触子と２次側の回路との間に接続され、装置本体８の表面に露出する操作ハンドル３，４のオフ操作によって１次側と２次側との間を電気的に遮断する。カバー７は、装置本体８に着脱自在に取り付けられ、装置本体８に取り付けられた状態で操作ハンドル３，４の操作を制限する。【選択図】図１
2014225353.tif 000002
【特許請求の範囲】
【請求項１】
配電用の導電部材を収納した配線ダクトの前記導電部材に接続する１次側の接触子と、
前記接触子と２次側の回路との間に接続され、装置本体の表面に露出する操作ハンドルのオフ操作によって１次側と２次側との間を電気的に遮断する遮断器と、
前記装置本体に着脱自在に取り付けられ、前記装置本体に取り付けられた状態で前記操作ハンドルの操作を制限する制限部と
を備えることを特徴とする配線ダクト接続装置。
【請求項２】
前記制限部は、前記操作ハンドルを覆うことによって前記操作ハンドルの操作を制限することを特徴とする請求項１に記載の配線ダクト接続装置。
【請求項３】
前記制限部は、前記操作ハンドルがオン位置に切り替えられた状態で、前記操作ハンドルの動きを規制することで、前記操作ハンドルの操作を制限することを特徴とする請求項１に記載の配線ダクト接続装置。
【請求項４】
前記制限部は、透光性を有する材料で形成されたことを特徴とする請求項１乃至３の何れか１項に記載の配線ダクト接続装置。
【請求項５】
前記制限部は、不透明な材料で形成されたことを特徴とする請求項１乃至３の何れか１項に記載の配線ダクト接続装置。
【請求項６】
前記制限部が前記操作ハンドルの操作を規制している状態を保持し、所定操作により前記制限部の保持を解除する保持部
を備えることを特徴とする請求項１乃至５の何れか１項に記載の配線ダクト接続装置。
【発明の詳細な説明】
【技術分野】
【０００１】
本発明は、配線ダクト接続装置に関するものである。
【背景技術】
【０００２】
従来、配線ダクトに着脱自在に取り付けられる配線ダクト用プラグがあった（例えば特許文献１参照）。配線ダクトは、例えばデータセンタのように多数の電気機器が使用される建物に設置される。データセンタの天井に設置された配線ダクトから、配線ダクト用プラグを介してサーバラック等に電力が供給される。特許文献１の配線ダクト用プラグは、２次側への給電を遮断するための回路遮断器をボディに収納していた。
【先行技術文献】
【特許文献】
【０００３】
【特許文献１】特開２０１２−１１４０００号公報
【発明の概要】
【発明が解決しようとする課題】
【０００４】
上記特許文献１に開示された配線ダクト用プラグでは、ボディの表面に回路遮断器のハンドルが露出しているため、作業者が回路遮断器のハンドルに誤って触れてしまい、２次側への給電が遮断されてしまう可能性があった。
【０００５】
本発明は上記課題に鑑みて為されたものであり、その目的とするところは、過失あるいは故意でハンドルをオフ操作されにくくした配線ダクト接続装置を提供することにある。
【課題を解決するための手段】
【０００６】
上記課題を解決するために、本発明の配線ダクト接続装置は、配電用の導電部材を収納した配線ダクトの前記導電部材に接続する１次側の接触子と、前記接触子と２次側の回路との間に接続され、装置本体の表面に露出する操作ハンドルのオフ操作によって１次側と２次側との間を電気的に遮断する遮断器と、前記装置本体に着脱自在に取り付けられ、前記装置本体に取り付けられた状態で前記操作ハンドルの操作を制限する制限部とを備えることを特徴とする。
【０００７】
この発明において、前記制限部は、前記操作ハンドルを覆うことによって前記操作ハンドルの操作を制限することも好ましい。
【０００８】
この発明において、前記制限部は、前記操作ハンドルがオン位置に切り替えられた状態で、前記操作ハンドルの動きを規制することで、前記操作ハンドルの操作を制限することも好ましい。
【０００９】
この発明において、前記制限部は、透光性を有する材料で形成されたことも好ましい。
【００１０】
この発明において、前記制限部は、不透明な材料で形成されたことも好ましい。
【００１１】
この発明において、前記制限部が前記操作ハンドルの操作を規制している状態を保持し、所定操作により前記制限部の保持を解除する保持部を備えることも好ましい。
【発明の効果】
【００１２】
本発明によれば、装置本体に取り付けられた制限部が、遮断器の操作ハンドルの操作を制限するので、過失あるいは故意で操作ハンドルが操作されにくくなる。
【図面の簡単な説明】
【００１３】
【図１】（ａ）は実施形態の配線ダクト接続装置が配線ダクトに取り付けられた状態の斜視図、（ｂ）は要部拡大図である。
【図２】（ａ）は同上の右側面の要部拡大図、（ｂ）（ｃ）は要部斜視図である。
【図３】同上の他の形態を示す斜視図である。
【図４】同上の配線ダクトシステムの説明図である。
【図５】同上のまた別の形態を示す斜視図である。
【発明を実施するための形態】
【００１４】
以下に、本発明の技術思想を、単相３線式配線の配線ダクトに用いる配線ダクト接続装置に適用した実施形態について図面を参照して説明する。尚、配線ダクトは単相３線式配線に限定されず、三相３線式配電方式や三相４線式配電方式等であってもよい。
【００１５】
配線ダクト接続装置の実施形態を図１〜図４に基づいて説明する。尚、以下の説明では図１（ａ）に示す向きを基準として上下左右の方向を規定し、図２（ａ）における左右方向を前後方向として説明するが、この方向は説明の便宜上定義するものであり、実際の使用状態での方向を上記の方向に限定するものではない。
【００１６】
配線ダクト接続装置１は図１及び図２（ａ）に示すように、接触子２０ａ〜２０ｃと、遮断器５，６と、カバー７とを備える。接触子２０ａは、配線ダクト１７の導体１８ａに接続する。同様に、接触子２０ｂは導体１８ｂに接続し、接触子２０ｃは導体１８ｃに接続する。遮断器５，６は、二次側の負荷に異常な電流が流れたときに一次側からの給電を自動的に遮断する異常遮断機能を備えている。遮断器５は、接触子２０ａ，２０ｂと２次側の回路との間に接続され、装置本体８の表面に露出する操作ハンドル３の操作によって１次側と２次側との間を電気的に遮断又は接続することが可能である。遮断器６は、接触子２０ｂ，２０ｃと２次側の回路との間に接続され、装置本体８の表面に露出する操作ハンドル４の操作によって１次側と２次側との間を電気的に遮断又は接続することが可能である。カバー７は、装置本体８に着脱自在に取り付けられ、装置本体８に取り付けられた状態で操作ハンドル３，４の操作を制限する。
【００１７】
図１及び図２に示すように、この配線ダクト接続装置が接続される配線ダクト１７について説明する。
【００１８】
配線ダクト１７は、図１及び図２に示す長尺の角筒状であり、配線ダクト１７の下面には長手方向の全体にわたって溝１９が開口している。配線ダクト１７の内側には、長手方向に沿って３本の導体１８ａ〜１８ｃが配置されている。導体１８ａ〜１８ｃは、単相３線式のＡＣ１００／２００Ｖの電源に接続している。導体１８ａは、単相３線配線の中性線に相当し、配線ダクト１７内の天面に設けられている。導体１８ｂ，１８ｃは電圧線に相当し、配線ダクト１７内の両側面にそれぞれ設けられている。尚、電源の電圧はＡＣ１００／２００Ｖに限定されず、例えばＡＣ２４０／４８０Ｖ等の適宜の電圧であってよい。
【００１９】
配線ダクト接続装置１は、合成樹脂製のボディ９及び端子カバー１０からなる装置本体８を備える。ボディ９は縦長の箱状に形成されており、端子カバー１０は上面が開口した角筒状に形成されている。
【００２０】
ボディ９の上面には、配線ダクト１７の溝１９に挿入される挿入部２が設けられている。挿入部２は図２（ａ）〜（ｃ）に示すように、ボディ９の上部表面から上側に突出する板状に形成され、挿入部２の奥行き寸法は溝１９の幅寸法よりも小さく形成されている。挿入部２の上面には凹部２Ａが設けられ、凹部２Ａ内には、金属製の接触子２０ａが設けられている。挿入部２の一方の面（前面）には孔２Ｂが設けられており、金属製の接触子２０ｂが孔２Ｂから進退自在に設けられている。同様に、挿入部２の他方の面（背面）には孔２Ｃが設けられており、金属製の接触子２０ｃが孔２Ｃから進退自在に設けられている。
【００２１】
ボディ９の両側面の上部には、レバー１５ａ，１６ａが設けられている。レバー１５ａ、１６ａは回転自在に設けられ、レバー１５ａ，１６ａが共に前方を向いている状態では、接触子２０ｂは孔２Ｂ内に退避しており、接触子２０ｃは孔２Ｃ内に退避している。一方、レバー１５ａが左方向を向く位置に回転し、レバー１６ａが右方向を向く位置に回転した状態では、接触子２０ｂは孔２Ｂから外に突出し、接触子２０ｃは孔２Ｃから外に突出している。
【００２２】
レバー１５ａの回転軸には矩形板状の固定板１５ｂが連結され、レバー１６ａの回転軸には矩形板状の固定板１６ｂが連結されている。固定板１５ｂ，１６ｂの幅寸法は、溝１９の幅寸法よりも小さくなるように形成されており、固定板１５ｂ，１６ｂの長さ寸法は溝１９の幅寸法よりも大きくなるように形成されている。固定板１５ｂはレバー１５ａとともに回転し、レバー１５ａが前方を向く位置まで回転すると、固定板１５ｂの長手方向が挿入部２の長手方向と平行になる。同様に、固定板１６ｂはレバー１６ａとともに回転し、レバー１６ａが前方を向く位置まで回転すると、固定板１６ｂの長手方向が挿入部２の長手方向と平行になる。
【００２３】
ここで、ボディ９を配線ダクト１７に接続する方法を説明する。レバー１５ａ，１６ａが共に前方を向いている状態で、ボディ９の上部が配線ダクト１７の側面に当接する位置まで挿入部２を配線ダクト１７の溝１９に挿入すると、接触子２０ａが導体１８ａに接触する。接触子２０ａが導体１８ａに接触した状態で、レバー１５ａを前方から左方向に回転させ、レバー１６ａを前方から右方向へ回転させる。レバー１５ａ，１６ａを回転させることにより、孔２Ｂから外に突出した接触子２０ｂが導体１８ｂに接触して導通し、孔２Ｃから外に突出した接触子２０ｃが導体１８ｃに接触して導通する。また、固定板１５ｂはレバー１５ａとともに回転して、配線ダクト１７の溝１９の内側の周縁部分に係止される。同様に、固定板１６ｂはレバー１６ａとともに回転して、配線ダクト１７の溝１９の内側の周縁部分に係止される。固定板１５ｂ，１６ｂが配線ダクト１７の溝１９の周縁部分に係止されることにより、装置本体８が配線ダクト１７に係止される。
【００２４】
ボディ９の前面には、遮断器５，６と、遮断器５，６の１次側に通電されると点灯する通電ランプ１１とが設けられている。
【００２５】
遮断器５は操作ハンドル３を備え、遮断器６は操作ハンドル４を備えている。遮断器５の１次側端子は、例えば被覆電線等（図示せず）を介して接触子２０ａ，２０ｂに接続しており、遮断器５の２次側端子には給電ケーブル１３が接続されている。遮断器６の１次側端子は、例えば被覆電線等（図示せず）を介して接触子２０ｂ，２０ｃに接続しており、遮断器６の２次側端子には給電ケーブル１３が接続されている。遮断器５は、操作ハンドル３がＯＮ位置（例えば上側）に切り替えられた状態では１次側端子と２次側端子との間を電気的に接続し、操作ハンドル３がＯＦＦ位置（例えば下側）に切り替えられた状態では１次側端子と２次側端子との間を電気的に遮断する。同様に、遮断器６は、操作ハンドル４の操作に応じて遮断器６の１次側端子と２次側端子との間を電気的に遮断又は接続する。また、遮断器５，６は異常遮断機能を備えており、遮断器５は、操作ハンドル３がＯＮ位置であっても、二次側の負荷に異常な電流が流れたときに一次側からの給電を自動的に遮断する。同様に、遮断器６は、操作ハンドル４がＯＮ位置であっても、二次側の負荷に異常な電流が流れたときに一次側からの給電を自動的に遮断する。本実施形態では、例えば遮断器５をＡＣ１００Ｖ用、遮断器６をＡＣ２００Ｖ用としており、遮断器５にはＡＣ１００Ｖ用の回路が接続され、遮断器６にはＡＣ２００Ｖ用の回路が接続される。尚、遮断器５，６は、異常遮断機能を備えていなくてもよく、操作ハンドル３，４の切り替え操作によって１次側端子と２次側端子との間を電気的に遮断又は接続するものでもよい。
【００２６】
端子カバー１０は、ボディ９の下部に着脱自在に取り付けられ、ボディ９の下部に取り付けられた状態では、ボディ９の下部及び遮断器５，６の２次側端子を覆っている。端子カバー１０の下面には、給電ケーブル１３が引き込まれる引き込み口（図示せず）と、給電ケーブル１３の外被を保持するケーブルクランプ１２とがそれぞれ２つずつ設けられている。給電ケーブル１３は引き込み口を通して端子カバー１０の内部に引き込まれ、遮断器５，６の２次側端子に接続されている。給電ケーブル１３の外被は、端子カバー１０をボディ９に結合させた状態でケーブルクランプ１２によって保持されている。尚、本実施形態では、ボディ９は２つの遮断器５，６を備えているが、遮断器の数は２つに限定されず、１乃至複数の遮断器を備えていてもよい。また、ボディ９と端子カバー１０とはそれぞれ、合成樹脂で形成されることに限定されず、例えば金属等の適宜の材料で形成されていてもよい。
【００２７】
カバー７は、透光性を有する合成樹脂（例えばアクリル樹脂やポリカーボネート樹脂等）で形成されている。カバー７は、後部が開口した箱状に形成されており、主部７ａと側部７ｂ，７ｃとを有している。主部７ａは、ボディ９の表面に沿って湾曲し、ボディ９の前面及び両側面の一部を覆う。側部７ｂ，７ｃは、主部７ａの上辺及び下辺からそれぞれ後方に突出し、側部７ｂ，７ｃの後端はボディ９の表面に当接する。ボディ９の前面部分を覆うカバー７の奥行き寸法は、操作ハンドル３，４の先端からボディ９の表面までの距離よりも大きくなるように形成されている。そのため、カバー７をボディ９の前面に設置すると、カバー７は操作ハンドル３，４を覆う。尚、カバー７は、主部７ａと、側部７ｂ，７ｃとで構成されることに限定されず、操作ハンドル３，４を覆うことができる適宜の形状であってよい。
【００２８】
カバー７の一方の側縁（左側縁）には、例えば中空筒状の筒部（図示せず）が設けられており、ボディ９の一方の側面（左側面）には軸（図示せず）が設けられている。軸を筒部に挿通させることにより、主部７ａはボディ９に回転自在に支持される。カバー７の他方の側縁（右側縁）には固定片１４ｂが設けられている。固定片１４ｂは、カバー７の右側縁から右方向に突出する矩形板状に形成されている。固定片１４ｂの中央部には、ねじ１４ｃを挿通する孔（図示せず）が設けられている。ボディ９には、カバー７の固定片１４ｂと重なるように板状の固定片１４ａが設けられている。固定片１４ａの中央部には、ねじ孔（図示せず）が設けられている。
【００２９】
カバー７の左側縁の軸を中心にカバー７を回転させて側部７ｂ，７ｃをボディ９の表面に当接させ、ねじ１４ｃを固定片１４ｂの孔に挿通させて固定片１４ａにねじ止め固定することにより、カバー７がボディ９の前面に係止されて操作ハンドル３，４を覆う。
【００３０】
尚、制限部は操作ハンドル３，４を覆うカバー７に限定されず、操作ハンドル３，４がオン位置に切り替えられた状態から動かないようにするものであってもよい。例えば、操作ハンドル３，４の下面に接する矩形板状に形成された制限部をボディ９の前面に取り付け、制限部を操作ハンドル３，４の下面に当てて操作ハンドル３，４がオン位置からオフ位置に動かなくすることで、操作ハンドル３，４の操作を制限してもよい。
【００３１】
ねじ１４ｃを外すと、カバー７を回転させてボディ９の前面を露出させることができるので、操作ハンドル３，４を操作することができるようになる。
【００３２】
尚、ボディ９を覆った状態でカバー７を保持又は所定操作で保持を解除する錠装置２１をボディ９が備えていてもよい。
【００３３】
錠装置２１は、例えばシリンダー錠からなり、錠ケース２１ａと、シリンダー２１ｂと、デッドボルト（図示せず）とを備えている。錠ケース２１ａはボディ９と一体に設けられ、錠ケース２１ａの内部にはシリンダー２１ｂとデッドボルトとが収納されている。錠ケース２１ａには、カバー７の端部に設けられた固定片７ｄがカバー７を閉じた状態で挿入される凹部（図示せず）が設けられている。シリンダー２１ｂは、鍵穴から差し込んだ正規のキー（図示せず）を回すことによって回転させられる。シリンダー２１ｂがロック方向に回転すると、凹部内に差し込まれた固定片７ｄを係止する位置にデッドボルトがスライド移動し、カバー７がロックされる。シリンダー２１ｂがロック解除方向に回転すると、デッドボルトは固定片７ｄから離れる位置にスライド移動し、カバー７のロックが解除される。錠装置２１は、キーの回転操作に応じて、操作ハンドル３，４を覆った状態のカバー７を保持又は保持を解除する。尚、錠装置２１は、シリンダー錠に限定されず、あらかじめ定められた解除方法によって解錠する適宜の錠であってよい。例えば錠装置２１は、暗証番号、専用カードキー、指紋等の生体認証によって解錠できる電子錠等であってもよい。また、錠装置２１は、操作ハンドル３，４を覆った状態のカバー７を保持又は保持を解除するものであればよく、例えば孔を設けたカバー７と、孔を設けたボディ９とを南京錠の掛け金で施錠するものであってもよい。また、保持部は錠装置に限定されず、例えば通常の工具では回せない特殊な溝や穴が付いたねじを用いて操作ハンドル３，４を覆った状態のカバー７を保持又は保持を解除するものであってもよい。例えばねじは、ねじの頭部に三角穴、四角穴、六角穴、六角星形の穴、複数の穴、又は３本の溝等が設けられたねじ（いじり止めねじ）等であってもよい。
【００３４】
尚、カバー７は、透明な材料で形成されることに限定されず、図３に示すように不透明な材料（例えばＡＢＳ樹脂等）で形成されていてもよい。不透明な材料で形成されたカバー７が操作ハンドル３，４を覆うことにより、装置本体８の外観を見ただけでは操作ハンドル３，４の存在がわからないため、故意で操作ハンドル３，４が操作されにくくなる。
【００３５】
また、カバー７の左側縁は、軸によってボディ９に支持されることに限定されず、適宜の方法でボディ９に取り付けられていてよい。例えば主部７ａの左側縁に、主部７ａの表面からボディ９方向に伸びる凸部を設け、凸部に対応する凹部をボディ９の左側面に設けて凸部と凹部とを嵌合させることにより、カバー７の左側縁がボディ９に取り付けられてもよい。また、例えばボディ９の両側面に固定片１４ａをそれぞれ設け、カバー７の両側縁に固定片１４ｂをそれぞれ設けて、２つのねじ１４ｃによってカバー７がボディ９に取り付けられてもよい。
【００３６】
ここで、本実施形態の配線ダクト接続装置１を用いる配線ダクトシステムを、データセンタに設置した場合の使用状況について図４を用いて説明する。
【００３７】
配線ダクト１７は、天井２３から長尺の吊り金具２４で吊るされて設置されており、給電対象のサーバラック２２の上方に配線ダクト接続装置１が接続されている。配線ダクト接続装置１は、給電ケーブル１３を介してサーバラック２２に接続しており、配線ダクト１７からサーバラック２２に給電している。配線ダクト接続装置１には制限部があるため、過失あるいは故意で操作ハンドルが操作されにくくなり、負荷への給電が遮断されにくくなる。また、操作ハンドルを操作するためにはドライバーや専用工具等が必要であり、操作ハンドルを操作するまでに時間がかかる。データセンタでは通常、セキュリティカメラによる監視が行われているので、操作ハンドルを操作するまでに時間がかかることによって、故意で操作ハンドルが操作されにくくなる。
【００３８】
また、データセンタでは、サーバラック毎にサーバの運用者が異なる場合が多い。そこで、サーバラック２２毎に異なる鍵でカバー７を開けられる錠装置２１を備えた配線ダクト接続装置１を使用すれば、他のキーではカバー７が開けられないので、セキュリティが向上する。尚、この場合の配線ダクト接続装置１は、配線ダクト接続装置１毎にカバー７の保持を解除する方法が異なっていればよく、例えば錠の解錠方法を変えたり、いじり止めねじの種類を変えたりしてもよい。これにより、過失あるいは故意で操作ハンドルが操作されにくくなる。
【００３９】
以上説明したように、本実施形態の配線ダクト接続装置１は、配電用の導体を収納した配線ダクト１７の導体１８ａ〜１８ｃに接続する１次側の接触子２０ａ〜２０ｃと、接触子２０ａ〜２０ｃと２次側の回路との間に接続され、装置本体８の表面に露出する操作ハンドル３，４のオフ操作によって１次側と２次側との間を電気的に遮断する遮断器５，６と、装置本体８に着脱自在に取り付けられ、装置本体８に取り付けられた状態で操作ハンドル３，４の操作を制限するカバー７とを備える。
【００４０】
装置本体８に取り付けられたカバー７が、遮断器５，６の操作ハンドル３，４の操作を制限するので、過失あるいは故意で操作ハンドル３，４が操作されにくくなる。
【００４１】
カバー７は、操作ハンドル３，４を覆うことによって操作ハンドル３，４の操作を制限するものでもよい。カバー７が操作ハンドル３，４を覆うことにより、カバー７を開けなければ操作ハンドル３，４に触れることができないので、過失あるいは故意で操作ハンドル３，４が操作されにくくなる。
【００４２】
制限部は、操作ハンドル３，４がオン位置に切り替えられた状態で、操作ハンドル３，４の動きを規制することで、操作ハンドル３，４の操作を制限するものであってもよい。制限部は操作ハンドル３，４をオン位置の状態で動きを規制することにより、制限部を装置本体８から取り外さなければ操作ハンドル３，４を動かすことができないので、過失あるいは故意で操作ハンドル３，４が操作されにくくなる。
【００４３】
カバー７は、透光性を有する材料で形成されていてもよい。そのため、カバー７を装置本体８に取り付けた状態で操作ハンドル３，４の状態を見ることができる。
【００４４】
カバー７は、不透明な材料で形成されていてもよい。カバー７が不透明な材料で形成されることにより、カバー７が装置本体８に取り付けられた状態では、操作ハンドル３，４の存在が外観からはわかりにくくなるため、故意で操作ハンドル３，４が操作されにくくなる。
【００４５】
カバー７は、操作ハンドル３，４の操作を規制している状態を保持し、所定操作によりカバー７の保持を解除する錠装置２１を備えていてもよい。カバー７とボディ９との保持を解除する所定操作を行わなければ、カバー７を開けることができないので、過失あるいは故意で操作ハンドル３，４が操作されにくくなる。
【符号の説明】
【００４６】
１      配線ダクト接続装置
２      挿入部
３，４  操作ハンドル
５，６  遮断器
７      カバー（制限部）
８      装置本体
９      ボディ
１０    端子カバー
１１    通電ランプ
１３    給電ケーブル
１４ａ，１４ｂ  固定片
１４ｃ  ねじ
１５ａ，１６ａ  レバー
１７    配線ダクト
１８ａ〜１８ｃ  導体（導電部材）
１９    溝
２０ａ〜２０ｃ  接触子
２１    錠装置（保持部）
【図１】
2014225353.tif 000003
【図２】
2014225353.tif 000004
【図３】
2014225353.tif 000005
【図４】
2014225353.tif 000006
【図５】
2014225353.tif 000007